(57)【要約】  サーバ（１）では、制御部は、複数の情報処理端末のうちの何れかから第１の要求を受信したときに、治療方法データの示す治療方法のテキスト画像（Ｇ４１）と、この治療方法データに対応する質問情報の示す質問のテキスト画像（Ｇ４２）とこの治療方法データに対応する評価パラメータ（Ｐ）とを示す治療方法画像（Ｇ４）を、第１の要求を送信した情報処理端末に送信する処理と、複数の情報処理端末のうち治療方法画像（Ｇ４）が送信された情報処理端末から、質問に対する回答を示す回答情報を受信する処理と、回答情報に基づいて新たに評価パラメータ（Ｐ）を算出してハードディスク及び／又はＲＡＭに記憶させる処理と、を実行する。
2016059686.tif 000002
【特許請求の範囲】
【請求項１】
複数の情報処理端末と通信可能な治療方法情報提供サーバであって、  治療方法を示す治療方法データと、この治療方法に対応する、前記治療方法の評価を問う質問を示す質問情報及び前記治療方法の評価を表す評価パラメータとを記憶する記憶装置と、制御部とを備え、  前記制御部は、  前記複数の情報処理端末のうちの何れかから第１の要求を受信したときに、（Ａ）前記治療方法データの示す治療方法と前記質問情報の示す質問と前記評価パラメータとを示す治療方法情報を、前記第１の要求を送信した情報処理端末に送信する処理と、（Ｂ）前記複数の情報処理端末のうち前記治療方法情報が送信された情報処理端末から、前記質問に対する回答を示す回答情報を受信する処理と、（Ｃ）前記回答情報に基づいて新たに前記評価パラメータを算出して前記記憶装置に記憶させる処理と、を実行する、ことを特徴とする治療方法情報提供サーバ。
【請求項２】
前記治療方法情報は、この治療方法情報が送信された情報処理端末で表示される治療方法画像である、ことを特徴とする請求項１に記載の治療方法情報提供サーバ。
【請求項３】
前記治療方法データと前記評価パラメータとが前記記憶装置に複数記憶され、  前記制御部は、（Ｅ）前記複数の情報処理端末のうちの何れかから、ユーザ所望の前記治療方法データの条件である検索条件を示す検索情報を受信する処理と、（Ｆ）前記処理（Ｅ）で検索情報を受信したときに、この検索情報の示す検索条件に合致する治療方法データを前記複数の治療方法データから抽出する処理と、（Ｇ）前記処理（Ｆ）で抽出された治療方法データが複数ある場合には、これらの複数の抽出された治療方法データに対応する評価パラメータ夫々に基づいて、前記複数の抽出された治療方法データの順番を決定する処理と、（Ｈ）前記抽出された治療方法データの示す治療方法の識別情報が、前記処理（Ｇ）で決定された前記治療方法データの順番に従って配置された治療方法選択用画像を、前記検索情報を送信した情報処理端末に送信する処理と、を実行し、  前記複数の情報処理端末のうち前記治療方法選択用画像が送信された情報処理端末から、前記識別情報から一つの識別情報の選択を示す情報を、前記第１要求とともに受信したときに、前記処理（Ａ）において、前記選択された一つの識別情報に対応する治療方法を示す前記治療方法情報を送信する、ことを特徴とする請求項１に記載の治療方法情報提供サーバ。
【請求項４】
前記質問は、この質問に対する肯定又は否定で回答され、  前記評価パラメータは、前記肯定の回答又は前記否定の回答の比率を示す、ことを特徴とする請求項１に記載の治療方法情報提供サーバ。
【請求項５】
前記評価パラメータは、母集団の区間推定に関する統計原理を用いて算出された信頼区間である、ことを特徴とする請求項３に記載の治療方法情報提供サーバ。
【請求項６】
前記記憶装置には、前記治療方法データについて、複数種類の前記評価パラメータが記憶され、各前記評価パラメータには、それぞれ異なった質問情報が対応付けられており、この異なった質問情報には、夫々優先順位が設定されており、  前記制御部は、  前記処理（Ａ）において、前記優先順位に従った一つの前記質問情報の示す質問を示す前記治療方法画像を、前記第１の要求を送信した情報処理端末に送信し、（Ｉ）前記一つの質問情報の示す質問について、前記処理（Ｂ）の実行によって受信された回答情報の数が所定の閾値を達した後には、前記優先順位に従って、前記一つの質問情報とは別の質問情報を選択する処理、を更に実行し、  前記処理（Ｉ）の実行後に実行される前記処理（Ａ）では、前記選択された別の質問情報の示す前記治療方法情報を、前記第１の要求を送信した情報処理端末に送信する、ことを特徴とする請求項１に記載の治療方法情報提供サーバ。
【発明の詳細な説明】
【技術分野】
【０００１】  本発明は、複数の情報処理端末と通信可能であり、これらの複数の情報処理端末のうちの何れかの情報処理端末から要求があったときに、この情報処理端末に対して、治療方法を示す治療方法情報を送信する治療方法情報提供サーバに関する。
【背景技術】
【０００２】  従来、特許文献１に示すような、ホームドクターの一般医端末と顧客（ユーザ）の顧客端末とをネットワークを介して接続し、ネットワークを介して、顧客が健康についての相談をホームドクターに行うことができる、ネットワークを利用した健康・医療管理システムが知られている。この様な健康・医療管理システムでは、ホームドクターが遠隔地に居る場合であっても、顧客は、遠隔地に居るホームドクターに健康に関しての相談を行うことができ、ホームドクターから病気の治療方法の提案を受けることができる。
【先行技術文献】
【特許文献】
【０００３】
【特許文献１】特開２００２−２１５８０４号
【発明の概要】
【発明が解決しようとする課題】
【０００４】  従来の健康・医療管理システムでは、顧客は、ホームドクターから提案された治療方法が信頼でき、この治療方法に従ってよいものかどうかを判断するときに、治療方法自体の信頼性を示す情報を得ることができない。このため、相談に対するホームドクターからの回答の丁寧さ等から判断したホームドクターの信頼性に基づいて、顧客は治療方法の信頼性を判断するしかなかった。【０００５】  そこで、本発明は、治療方法とともに、この治療方法の信頼性をユーザが判断するために有益な情報をユーザに提供することができる治療方法情報提供サーバを提供することを目的とする。
【課題を解決するための手段】
【０００６】（１）本発明の一局面に係る治療方法情報提供サーバは、複数の情報処理端末と通信可能である。治療方法提供サーバは、治療方法を示す治療方法データと、この治療方法に対応する、治療方法の評価を問う質問を示す質問情報及び治療方法の評価を表す評価パラメータとを記憶する記憶装置と、制御部とを備える。前記制御部は、前記複数の情報処理端末のうちの何れかから第１の要求を受信したときに、（Ａ）前記治療方法データの示す治療方法と前記質問情報の示す質問と前記評価パラメータとを示す治療方法情報を、前記第１の要求を送信した情報処理端末に送信する処理と、（Ｂ）前記複数の情報処理端末のうち前記治療方法情報が送信された情報処理端末から、前記質問に対する回答を示す回答情報を受信する処理と、（Ｃ）前記回答情報に基づいて新たに前記評価パラメータを算出して前記記憶装置に記憶させる処理と、を実行する。【０００７】  上記構成によれば、複数の情報処理端末のうち何れかから第１要求があったときに、この情報処理端末に対してサーバから治療方法情報が送信される。このため、治療方法情報を受信した情報処理端末によって、治療方法情報を報知することができる。ここで、治療方法情報は、治療方法データの示す治療方法とともに、この治療方法の評価を表す評価パラメータを示す。これによって、第１要求を送信した情報処理端末のユーザに対して、治療方法とともに、この治療方法の評価を提供することができる。評価パラメータは、治療方法の信頼性をユーザが判断するために有益な情報である。その理由を説明する。  治療方法情報は、治療方法の評価を問う質問も示す。この質問に対する回答が、治療方法情報が報知された情報処理端末から治療方法情報提供サーバに受信されたときに、この回答に基づいて評価パラメータが新たに算出されて記憶装置に記憶される。これによって、次に複数の情報処理端末のうち何れかから第１要求が治療方法情報提供サーバに受信されて、次に処理（Ａ）が実行されるときには、新たに算出された評価パラメータを示す治療方法情報が第１要求を送信した情報処理端末に送信される。このとき、この治療方法情報で示される評価パラメータは、前に第１要求を行って質問に対する回答を行った情報処理端末のユーザ（ユーザＡ）の評価が反映されたものとなる。従って、評価パラメータを見たユーザ（ユーザＢ）は、ユーザＡの評価を知ることができるため、評価パラメータは、治療方法の信頼性をユーザが判断するために有益な情報である。【０００８】（２）上記治療方法情報は、この治療方法情報が送信された情報処理端末で表示される治療方法画像であってもよい。【０００９】  上記構成によれば、治療方法、質問及び評価パラメータが一つの治療方法画像で示されるため、治療方法、質問及び評価パラメータが互いに対応することを、理解し易く情報処理端末のユーザに示すことができる。【００１０】（３）上記治療方法情報提供サーバでは、前記治療方法データと前記評価パラメータとが前記記憶装置に複数記憶されていてもよい。また、前記制御部が、（Ｅ）前記複数の情報処理端末のうちの何れかから、ユーザ所望の前記治療方法データの条件である検索条件を示す検索情報を受信する処理と、（Ｆ）前記処理（Ｅ）で検索情報を受信したときに、この検索情報の示す検索条件に合致する治療方法データを前記複数の治療方法データから抽出する処理と、（Ｇ）前記処理（Ｆ）で抽出された治療方法データが複数ある場合には、これらの複数の抽出された治療方法データに対応する評価パラメータ夫々に基づいて、前記複数の抽出された治療方法データの順番を決定する処理と、（Ｈ）前記抽出された治療方法データの示す治療方法の識別情報が、前記処理（Ｇ）で決定された前記治療方法データの順番に従って配置された治療方法選択用画像を、前記検索情報を送信した情報処理端末に送信する処理と、を実行してもよい。更に、前記制御部が、前記複数の情報処理端末のうち前記治療方法選択用画像が送信された情報処理端末から、前記識別情報から一つの識別情報の選択を示す情報を、前記第１要求とともに受信したときに、前記処理（Ａ）において、前記選択された一つの識別情報に対応する治療方法を示す前記治療方法情報を送信する。【００１１】  上記構成によれば、情報処理端末において、ユーザ所望の治療方法データの検索条件を入力することで、この検索条件を示す検索情報が情報処理端末から送信されてサーバで受信される。このときに、検索条件に合致する治療方法データが抽出される。そして、抽出された治療方法データの示す治療方法の識別情報が配置された治療方法選択用画像が、検索情報を送信した情報処理端末に送信される。これによって、ユーザ所望の治療方法の識別情報を示す治療方法選択画像が情報処理端末に送信される。  ここで、抽出された治療方法データが複数ある場合には、評価パラメータに基づいて順番が決定され、この決定された順番に従って、治療方法の識別情報が配置される。これによって、治療方法選択画像において複数の治療方法の識別情報が示される場合に、評価の高い治療方法の識別情報が何れであるのかをユーザに把握させ易くなる。  そして、治療方法情報提供サーバは、治療方法選択画像が表示された情報処理端末から、一つの識別情報の選択を示す情報を第１要求とともに受信したときに、選択された一つの識別情報に対応する治療方法を示す治療方法情報が第１要求を送信した情報処理端末に送信される。この様に、治療方法選択画像は、ユーザ所望の治療方法情報を選択するためのメニュー画面である。このメニュー画面が、上記のように、評価の高い治療方法の識別情報が何れであるのかをユーザに把握させ易いものであるため、ユーザが評価の高い治療方法を選択し易くすることができる。【００１２】（４）上記治療方法情報提供サーバでは、前記質問は、この質問に対する肯定又は否定で回答されてもよい。そして、前記評価パラメータは、前記肯定の回答又は前記否定の回答の比率を示すものであってもよい。【００１３】  上記構成によれば、質問を治療方法の是非を問うものとし、評価パラメータによって、質問に肯定（例えば、「ＹＥＳ」、「はい」、「同意します」、「是」等）と回答した他のユーザ又は否定（例えば、「Ｎｏ」、「いいえ」、「同意しません」、「非」等）と回答した他のユーザがどれ位存在するかを示すことで、他のユーザの治療方法に対する評価を理解し易くユーザに表示することができる。【００１４】���５）上記治療方法情報提供サーバでは、前記評価パラメータは、母集団の区間推定に関する統計原理を用いて算出された信頼区間であってもよい。【００１５】  肯定との回答又は否定との回答を全回答数で割って算出した比率を表示する場合には、回答数が多い場合も少ない場合も同じ比率で表示されてしまう。例えば、質問に対して回答が１個だけでありこの回答が肯定との回答である場合でも、回答が１００個あってこの１００個の回答が全て肯定の場合でも、１００パーセントと表示されてしまうことになる。上記構成によれば、評価パラメータは信頼区間である。この信頼区間は、質問に対して受信された回答情報の数（標本数）が多い程狭くなるため、この区間の狭さによってどの程度の正確さで母数（例えば、回答数が所定数ある場合のＹＥＳの回答又はＮｏの回答のパーセンテージ）を推定しているかを示す。このため、情報処理端末のユーザは、評価パラメータの区間の狭さを見ることで、評価パラメータがどの程度の正確さで母数を推定しているかを感覚的に把握することができる。【００１６】（６）上記治療方法情報提供サーバでは、前記記憶装置には、前記治療方法データについて、複数種類の前記評価パラメータが記憶されてもよい。また、各前記評価パラメータには、それぞれ異なった質問情報が対応付けられており、この異なった質問情報には、夫々優先順位が設定されていてもよい。更に、前記制御部は、前記処理（Ａ）において、前記優先順位に従った一つの前記質問情報の示す質問を示す前記治療方法情報を、前記第１の要求を送信した情報処理端末に送信し、（Ｉ）前記一つの質問情報の示す質問について、前記処理（Ｂ）の実行によって受信された回答情報の数が所定の閾値に達した後には、前記優先順位に従って、前記一つの質問情報とは別の質問情報を選択する処理、を更に実行し、前記処理（Ｉ）の実行後に実行される前記処理（Ａ）では、前記選択された別の質問情報の示す前記治療方法情報を、前記第１の要求を送信した情報処理端末に送信してもよい。【００１７】  上記構成によれば、優先順位に従った一つの質問情報（例えば、最も優先順位が高い質問情報）の示す質問が、治療方法情報によって表示される。そして、この質問に対する回答数が所定の閾値に達するまでは、この質問に対する回答に基づいて、この質問の質問情報に対応する評価パラメータが算出されて記憶（例えば更新）されていく。この一つの質問情報の示す質問に対する回答情報が所定の閾値を達した後には、優先順位に従った別の質問情報（例えば、上記一つの質問情報の次に優先順位が高い質問情報）の示す質問が、治療方法情報によって表示される。そして、この別の質問情報の示す質問に対する回答数が所定の閾値に達するまでは、この質問に対する回答に基づいて、この質問の質問情報に対応する評価パラメータが算出されて記憶（例えば更新）されていく。この様にして、評価パラメータの信頼性を確保するに足る回答数が集まった場合に、別の評価パラメータを更新するための質問が治療方法情報に表示されて、この質問に対する回答に基づいて別の評価パラメータが更新される。これによって、治療方法情報において、他のユーザの治療方法に対する評価が反映された複数種類の評価パラメータを表示することができる。
【図面の簡単な説明】
【００１８】
【図１】本実施形態に係る治療方法情報提供システムを示す図である。
【図２】情報処理端末で表示される検索画像の一例を示す図である。
【図３】情報処理端末で表示されるユーザ登録画像の一例を示す図である。
【図４】情報処理端末で表示される治療方法一覧画像の一例を示す図である。
【図５】情報処理端末で表示される治療方法画像の一例を示す図である。
【図６】サーバで記憶される治療方法テーブルの一例を示す図である。
【図７】サーバで記憶されるユーザ管理テーブルの一例を示す図である。
【図８】サーバで記憶される質問情報テーブルの一例を示す図である。
【図９】情報処理端末で実行される端末側治療方法情報提供処理の一例と、サーバで実行されるサーバ側治療方法情報提供の一例とを示すフローチャート（その１）である。
【図１０】情報処理端末で実行される端末側治療方法情報提供処理の一例と、サーバで実行されるサーバ側治療方法情報提供の一例とを示すフローチャート（その２）である。
【図１１】情報処理端末で実行される端末側治療方法情報提供処理の一例と、サーバで実行されるサーバ側治療方法情報提供処理の一例とを示すフローチャート（その３）である。
【図１２】サーバ側治療方法情報提供処理における治療方法一覧画像生成処理の一例を示す図である。
【発明を実施するための形態】
【００１９】  以下に図１から図１２を用いて、本発明を適用した一実施形態（本実施形態）にかかる治療方法情報提供システム（以下、「システム」と記載する）を説明する。
【００２０】（システムの構成）  まず、図１を参照して、システム１００の構成を説明する。図１に示すように、本実施形態に係るシステム１００は、サーバ１（本発明の「治療方法情報提供サーバ」の一例に相当）に対して複数の情報処理端末２（２Ａから２Ｎ）がネットワーク３を介して通信可能に接続されてなる。
【００２１】  システム１００では、サーバ１が、病気等の不快な症状（にきび、あせも等）の治療方法（例えば、民間療法等）を示す治療方法データＤ１と、この治療方法データＤ１に対応する、治療方法の評価を問う質問を示す質問情報Ｄ２及び治療方法の評価を表す評価パラメータＰとを記憶（蓄積）する。そして、サーバ１が、複数の情報処理端末２のうちの何れかから治療方法情報送信要求（第１の要求）を受信したときに、治療方法データＤ１の示す治療方法と、この治療方法データＤ１に対応する質問情報Ｄ２の示す質問と、この治療方法データＤ１に対応する評価パラメータＰとを示す治療方法情報を、治療方法情報送信要求を送信した情報処理端末２に対して、ネットワーク３を介して送信する。
【００２２】  上記のように、情報処理端末２に送信される治療方法情報は、治療方法をだけでなく、この治療方法の評価を表す評価パラメータＰを示す。このため、治療方法情報が情報処理端末２のユーザに対して報知されることで、治療方法だけでなく、この治療方法の評価をユーザに示すことができ、この評価をユーザが治療方法の信頼性を判断するために使用することができる。
【００２３】  更に、上記のように、治療方法情報は治療方法の是非を問う質問も示す。ここで、情報処理端末２は、治療方法情報の示す質問に対する回答を受け付け、この回答を示す情報（回答情報）をサーバ１に送信する。サーバ１は受信した回答情報に基づいて評価パラメータＰを更新する。この様に、複数の情報処理端末２からの回答情報に基づいて更新されることで、評価パラメータＰが複数のユーザの治療方法の是非についての評価を反映したものとなる。このため、評価パラメータＰが、治療方法の信頼性をユーザが判断するために有益な情報となる。これによって、サーバ１が情報処理端末２に対して評価パラメータＰを示す治療方法情報を送信することで、情報処理端末２のユーザに対して、この様な有益な情報を提供することができる。
【００２４】  なお、本実施形態では、治療方法情報は、図５で示す治療方法画像Ｇ４であり、治療方法情報を受信した情報処理端末２で表示される。この構成によれば、治療方法、質問及び評価パラメータＰが一つの治療方法画像Ｇ４で示されるため、治療方法、質問及び評価パラメータＰが互いに対応することを、理解し易く情報処理端末２のユーザに示すことができる。
【００２５】（システムの構成：サーバ１）  サーバ１は、例えば、治療方法提供業者側の情報処理装置である。サーバ１は、通信部１１、ハードディスク（ＨＤＤ）１２、操作部１３、ＲＡＭ（Ｒａｎｄｏｍ  Ａｃｃｅｓｓ  Ｍｅｍｏｒｙ）１４、ＲＯＭ（Ｒｅａｄ  Ｏｎｌｙ  Ｍｅｍｏｒｙ）１５、表示部１６及びＣＰＵ（Ｃｅｎｔｒａｌ  Ｐｒｏｃｅｓｓｉｎｇ  Ｕｎｉｔ）１７を有し、通信部１１、ハードディスク（ＨＤＤ）１２、操作部１３、ＲＡＭ１４、ＲＯＭ１５及び表示部１６がバス１８を介してＣＰＵ１７に接続されてなる。なお、本実施形態では、サーバ１は、１台の情報処理装置で構成されるが、複数台の情報処理装置で構成されてもよい。
【００２６】  通信部１１は、ネットワーク３に接続され、ネットワーク３を介して他の情報処理装置（例えば情報処理端末２）と通信を行う。ハードディスク１２は、本発明の記憶装置の一例であり、後述のサーバ側治療方法情報提供処理をＣＰＵ１７に実行させるためのサーバ側治療方法情報提供プログラムが記憶されている。また、ハードディスク１２には、図６を用いて後述する治療方法テーブルＴ１、図７を用いて後述するユーザ管理テーブルＴ２、及び図８を用いて後述する質問情報テーブルＴ３が記憶される。なお、ハードディスク１２に代えて、又はハードディスク１２とともに、ＳＳＤ（Ｓｏｌｉｄ  Ｓｔａｔｅ  Ｄｒｉｖｅ）等の他の記憶装置を使用してもよい。操作部１３は、サーバ１の管理者等からの操作を受け付けるものであり、例えばキーボード等である。ＲＡＭ１４は、本発明の記憶装置の一例であり、ＣＰＵ１７の作業領域として機能する。ＲＯＭ１５には、例えば起動用プログラム等が記憶されている。表示部１６は、例えば液晶ディスプレイ装置等の表示装置である。ＣＰＵ１７は、本発明の制御部の一例であり、ハードディスク１２に記憶されているサーバ側治療方法情報提供プログラムを読み込んで実行することで、後述のサーバ側治療方法情報提供処理を実行する。なお、このサーバ側治療方法情報提供処理において、ＣＰＵ１７は、通信部１１を用いて情報処理端末２との間で通信を行う。
【００２７】（システムの構成：通信処理端末２）  情報処理端末２は、一般ユーザの情報処理装置（例えば、パーソナルコンピュータ）である。情報処理端末２は、通信部２１、ハードディスク（ＨＤＤ）２２、操作部２３、ＲＡＭ（Ｒａｎｄｏｍ  Ａｃｃｅｓｓ  Ｍｅｍｏｒｙ）２４、ＲＯＭ（Ｒｅａｄ  Ｏｎｌｙ  Ｍｅｍｏｒｙ）２５、表示部２６及びＣＰＵ（Ｃｅｎｔｒａｌ  Ｐｒｏｃｅｓｓｉｎｇ  Ｕｎｉｔ）２７を有し、通信部２１、ハードディスク（ＨＤＤ）２２、操作部２３、ＲＡＭ２４、ＲＯＭ２５及び表示部２６がバス２８を介してＣＰＵ２７に接続されてなる。なお、情報処理端末２は、パーソナルコンピュータに限定されず、スマートフォン、タブレット端末、携帯電話、ゲーム装置等の他の情報処理装置であってもよい。
【００２８】  通信部２１は、ネットワーク３を介して他の情報処理装置（例えば、サーバ１）と通信を行う。ハードディスク２２は、ＣＰＵ２７に後述の端末側治療方法情報提供処理を実行させるための端末側治療方法情報提供プログラムが記憶されている。操作部２３は、情報処理端末２のユーザからの操作を受け付けるものであり、例えばキーボード等である。ＲＡＭ２４は、ＣＰＵ２７の作業領域として機能する。ＲＯＭ２５には、例えば起動用プログラム等が記憶されている。ＣＰＵ２７は、ハードディスク２２に記憶されている端末側治療方法情報提供プログラムを読み込んで実行することで、後述の端末側治療方法情報提供処理を実行する。なお、この端末側治療方法情報提供処理において、ＣＰＵ２７は、通信部２１を用いてサーバ１との間で通信を行う。
【００２９】  ネットワーク３は、例えばインターネット等の広域ネットワークである。
【００３０】（情報処理端末で表示される画像）  以下に図２から図５を用いて、サーバ１でサーバ側治療方法情報提供処理が実行され、情報処理端末２で端末側治療方法情報提供処理が実行されることによって、情報処理端末２の表示部２６で表示される画像について説明する。
【００３１】（情報処理端末で表示される画像：検索画像）  図２を参照して、検索画像Ｇ１について説明する。図２は、検索画像Ｇ１の一例を示す図である。検索画像Ｇ１は、複数の情報処理端末２のうちの何れかから検索画像Ｇ１の送信要求をサーバ１で受信したときに、サーバ１からこの情報処理端末２に送信される。検索画像Ｇ１は、この検索画像Ｇ１を受信した情報処理端末２によって表示される。
【００３２】  検索画像Ｇ１は、この情報処理端末２のユーザに対して検索条件の入力をガイドするためのものである。検索条件は、ユーザ所望の治療方法データＤ１の条件である。本実施形態では、検索画像Ｇ１は、キーワード入力部Ｇ１１と、項目選択部Ｇ１２と、ユーザ登録キーＧ１３と、エンターキーＧ１４と、カーソルＫとを表示している。キーワード入力部Ｇ１１には、ユーザ所望のキーワードを入力することができる。サーバ１に蓄積されている治療方法の治療方法データＤ１には、治療方法データＤ１を検索するための検索用タグＴＡ１（図６）が設定されている。キーワード入力部Ｇ１１にキーワードが入力された状態で、カーソルＫでエンターキーＧ１４が選択されることで、キーワード（本発明の「検索条件」の一例に相当）を示す検索情報が情報処理端末２からサーバ１に送信される。検索情報を受信したサーバ１では、蓄積された複数の治療方法データＤ１から、検索情報の示すキーワードに対応する検索用タグＴＡ１が設定された治療方法データＤ１が、抽出される。なお、治療方法データＤ１についての詳細は後述するが、治療方法データＤ１にはテキストデータが含まれている。このテキストデータ内に、キーワード入力部Ｇ１１に入力されたキーワードが含まれているときに、この治療方法データＤ１が検索条件に合致するデータとして抽出されてもよい。
【００３３】  項目選択部Ｇ１２には、複数種類の検索項目が列挙されており、これらの検索項目を例えばカーソルＫで選択することで、ユーザは検索条件を入力することができる。ユーザから検索項目の選択を受け付けたときに、この選択された検索項目（本発明の「検索条件」の一例に相当）を示す検索情報が情報処理端末２からサーバ１に送信される。サーバ１では、この検索情報の示す検索項目に対応する検索用タグＴＡ１が設定された治療方法データＤ１が、抽出される。
【００３４】  上述したように、サーバ１では、検索画像Ｇ１が表示された情報処理端末２から、検索条件を示す検索情報を受信したときに、この検索情報の示す検索条件に合致する治療方法データＤ１が複数の治療方法データＤ１から抽出される。もっとも、本実施形態では、会員登録されたユーザから検索条件の入力があったときにのみ、検索条件に合致する治療方法データＤ１が抽出される。具体的には、検索情報を受信したサーバ１では、ユーザ認証画像が検索情報を送信した情報処理端末２に送信される。ユーザ認証画像は、ユーザＩＤ及びパスワードのユーザからの入力をガイドするための画像である。ガイドされて入力されたユーザＩＤ及びパスワードを示す情報が、情報処理端末２からサーバ１に送信され、サーバ１において、ユーザＩＤ及びパスワードを用いてのユーザ認証が行われる。ユーザ認証が成功した場合にのみ、検索条件に合致する治療方法データＤ１が抽出される。
【００３５】  なお、検索画像Ｇ１におけるユーザ登録キーＧ１３をユーザがカーソルＫ等を用いて選択することで、会員登録のためのユーザ登録画像Ｇ２（図３）がサーバ１から情報処理端末２に送信される。
【００３６】（情報処理端末で表示される画像：ユーザ登録画像）  図３を参照して、ユーザ登録画像Ｇ２について説明する。図３は、ユーザ登録画像Ｇ２の一例を示す図である。ユーザ登録画像Ｇ２は、情報処理端末２によってサーバ１から受信されて、この情報処理端末２で表示される。ユーザ登録画像Ｇ２は、情報処理端末２のユーザに対して、会員登録で要求される情報（ユーザ所望のユーザＩＤ及びパスワード）の入力をガイドするためのものである。なお、入力されたユーザＩＤ及びパスワードを示す情報は、情報処理端末２からサーバ１に送信される。サーバ１では、受信されたこの情報の示すユーザＩＤ及びパスワードが、サーバ１に登録されているユーザＩＤ及びパスワードと重複していない場合には、会員のユーザＩＤ及びパスワードとして、ユーザ管理テーブルＴ２（図７）に登録される。
【００３７】（情報処理端末で表示される画像：治療方法一覧画像）  図４を参照して、治療方法一覧画像Ｇ３（本発明の「治療方法選択用画像」の一例に相当）について説明する。図４は、治療方法一覧画像Ｇ３の一例を示す図である。治療方法一覧画像Ｇ３は、検索条件（検索情報の示す検索条件）に合致する治療方法データＤ１の示す治療方法の識別情報Ｇ３１と、評価パラメータＰとを示す。治療方法一覧画像Ｇ３は、サーバ１で生成されて、検索情報を送信した情報処理端末２に対して送信される。治療方法一覧画像Ｇ３は、この治療方法一覧画像Ｇ３を受信した情報処理端末２によって表示される。
【００３８】  識別情報Ｇ３１は、治療方法データＤ１の一部であるタイトルデータの示す情報である。タイトルデータは、治療方法の記事のタイトルを示す。なお、本実施形態では、治療方法データＤ１におけるタイトルデータ以外の部分の示す情報Ｇ３２も、治療方法一覧画像Ｇ３に表示されており、この情報Ｇ３２を本発明の「治療方法の識別情報」としてもよい。本発明の「治療方法の識別情報」は、治療方法をユーザが識別できるものであれば、如何なる情報であってもよい。なお、治療方法一覧画像Ｇ３では、治療方法の識別情報Ｇ３１とともに、この治療方法の評価を表す評価パラメータＰ（改善率パラメータＰ１、即効性パラメータＰ２、満足度パラメータＰ３）が表示されている。この様に、識別情報Ｇ３１だけでなく評価パラメータＰが表示される。このため、ユーザに対して、この治療方法に対する評価を提示して、この評価に基づいてこの治療方法を選択して閲覧したいかどうかの判断をさせることができる。なお、治療方法一覧画像Ｇ３において、治療方法の識別情報Ｇ３１だけでなく、治療方法の治療方法データＤ１に設定された検索用タグＴＡ１の内容を示すタグ画像ＴＢ１が、治療方法の識別情報Ｇ３１とともに表示される。
【００３９】  本実施形態では、サーバ１において、検索条件に合致する治療方法データＤ１が複数抽出される場合がある。この場合には、サーバ１で、これらの複数の抽出された治療方法データＤ１に対応付けられた評価パラメータＰ夫々に基づいて、複数の抽出された治療方法データＤ１の示す治療方法の順番が決定される。本実施形態では、３つの評価パラメータＰのうち改善率パラメータＰ１に基づいて治療方法の順番が決定される。具体的には、治療方法データＤ１に設定されている改善率パラメータＰ１の中心値が高い順番に決定される。そして、治療方法一覧画像Ｇ３では、決定された順番に従って、複数の治療方法の識別情報Ｇ３１とこの治療方法に対応する評価パラメータＰが上下に並べて配置される。本実施形態では、識別情報Ｇ３１と評価パラメータＰが上下に並べて配置されるが、左右に並べて配置されてもよい。なお、本実施形態では、一つの識別情報Ｇ３１と、この治療方法に対応する評価パラメータＰ、情報Ｇ３２及びタブ画像ＴＢ１とが一つの表示欄Ｇ３００に示され、この表示欄Ｇ３００が複数上下に並べて配置される。
【００４０】  治療方法一覧画像Ｇ３が表示された情報処理端末２では、治療方法一覧画像Ｇ３に配置された治療方法の識別情報Ｇ３１から一つの識別情報Ｇ３１を選択する操作をユーザから受け付ける。そして、この操作をユーザから受け付けたときに、情報処理端末２からサーバ１に対して、上記一つの識別情報Ｇ３１の選択を示す情報（治療方法ＩＤ）と、治療方法情報送信要求（本発明の「第１要求」の一例に相当）とが、送信される。サーバ１では、治療方法情報送信要求を受信したときに、選択された一つの識別情報Ｇ３１に対応する治療方法を示す治療方法画像Ｇ４が情報処理端末２に対して送信される。
【００４１】（情報処理端末で表示される画像：治療方法画像）  図５を参照して、治療方法画像Ｇ４について説明する。図５は、治療方法画像Ｇ４の一例を示す図である。治療方法画像Ｇ４は、サーバ１から情報処理端末２に送信されて、情報処理端末２で表示されるものである。治療方法画像Ｇ４は、選択された一つの識別情報Ｇ３１に対応する治療方法データＤ１の示す治療方法のテキスト画像Ｇ４１と、評価パラメータＰ（改善率パラメータＰ１、即効性パラメータＰ２、満足度パラメータＰ３）とを示す。テキスト画像Ｇ４１が、治療方法データＤ１に基づいて生成された、治療方法の内容を表す画像である。また、治療方法画像Ｇ４は、表示される治療方法データＤ１に設定された検索用タグＴＡ１の内容を示すタグ画像ＴＢ１も示す。
【００４２】  更に、治療方法画像Ｇ４は、質問情報Ｄ２（図６）の示す質問のテキスト画像Ｇ４２も表示する。治療方法画像Ｇ４が表示された情報処理端末２では、質問に対するユーザの回答の入力を受け付ける。この質問Ｇ４２は、治療方法の是非を問い、質問に対する肯定（本実施形態では「Ｙｅｓ」）又は否定（本実施形態では「Ｎｏ」）で回答されるものであり、図６の質問Ｇ４２では、「この対処法は満足ですか？」と治療方法の改善率に関しての是非を問うている。なお、本実施形態では、質問に対する「肯定」は、「ＹＥＳ」であるが、「はい」、「同意します」、「是」等の他の種類の肯定であってもよい。また、質問に対する「否定」は、「ＮＯ」であるが、「いいえ」、「同意しません」、「非」であってもよい。治療方法画像Ｇ４には、回答入力部Ｇ４３が表示され、カーソルＫを用いて、回答入力部Ｇ４３における「ＹＥＳ」操作部Ｇ４３Ａ、「ＮＯ」操作部Ｇ４３Ｂの何れかを選択することで、Ｙｅｓの回答又はＮｏの回答の入力を受け付けることができる。この様に、質問に対する「肯定（ＹＥＳ）」又は「否定（ＮＯ）」の何れかを選択するだけで、ユーザに回答させることができるため、ユーザにとって最小限の負担で治療方法を評価させることができる。情報処理端末２では、回答の入力があったときに、サーバ１に対して回答情報が送信される。サーバ１では、この回答情報が受信されると、回答情報に基づいて新たに評価パラメータＰ（図６の例では、改善率パラメータＰ１）を算出してハードディスク１２のテーブルＴ１（図６）の評価パラメータＰ（図６の例では改善率パラメータＰ１）を更新する（ハードディスク１２に記憶させる）。この評価パラメータＰの算出の詳細については、図６を用いて後述する。
【００４３】（サーバに記憶されるデータ）  以下に図６から図８を用いて、サーバ１のハードディスク１２に記憶されるデータについて説明する。
【００４４】（サーバに記憶されるデータ：治療方法テーブル）  図６は、サーバで記憶される治療方法テーブルＴ１の一例を示す図である。治療方法テーブルＴ１には、治療方法ＩＤ、検索用タグＴＡ１、治療方法データＤ１、複数の（３種類の）評価パラメータＰ、及び各評価パラメータＰに対応する単純平均データＤ３（Ｄ３１〜Ｄ３３）が互いに対応付けて、複数登録されている。治療方法ＩＤは、治療方法データＤ１の識別情報である。検索用タグＴＡ１は、治療方法データＤ１の検索に使用される。治療方法データＤ１は、治療方法の内容を示すテキストデータである。本実施形態では、治療方法データＤ１は、サーバ１の管理者に入力される。もっとも、治療方法データＤ１は、情報処理端末２のユーザがこの情報処理端末２に入力したものであってもよく、ネットワーク３を介してサーバ１で受信したものであってもよい。治療方法データＤ１の示す治療方法は、本実施形態では、民間療法であるが、西洋医学や東洋医学の治療方法であってもよい。
【００４５】  各単純平均データＤ３は夫々、一つ治療方法データＤ１及び一つの評価パラメータＰに対応付けられている。単純平均データＤ３は、対応する治療方法データＤ１についての、対応する評価パラメータＰを算出するための全回答における、質問に対するＹｅｓの回答の比率を示すデータである。本実施形態では、単純平均データＤ３は、この全回答におけるＹｅｓの回答の比率を示すものであるが、Ｎｏの回答の比率を示してもよい。単純平均データは、この全回答におけるＹｅｓの回答数を、この全回答の数で除算して算出された値（標本の平均）を示す。
【００４６】  各評価パラメータＰは夫々、一つ治療方法データＤ１に対応付けられており、対応付けられている治療方法データＤ１の示す治療方法の評価を表すパラメータである。本実施形態では、治療方法テーブルＴ１には、一つの治療方法ＩＤ（治療方法データＤ１）について、複数種類（３種類）の評価パラメータＰが登録（記憶）されている。具体的には、３種類の評価パラメータＰとして、改善率パラメータＰ１、即効性パラメータＰ２、満足度パラメータＰ３が登録されている。改善率パラメータＰ１は、治療方法を使用した場合の症状（にきび等の病気）の改善に関する評価を示す。即効性パラメータＰ２は、治療方法を使用した場合に症状が改善する速さに関する評価を示す。満足度パラメータＰ３は、治療方法を利用した者の満足に関する評価を示す。本実施形態では、複数種類の評価パラメータＰがサーバ１で記憶され、これらの評価パラメータＰが、ユーザからの質問に対する「肯定（ＹＥＳ）」又は「否定（ＮＯ）」の回答に基づいて更新されるため、ユーザは「肯定」又は「否定」を選択するだけの操作で（最小限の負担で）、多角的に治療方法を評価することができる。なお、本実施形態では、評価パラメータＰは、３種類登録されているが、更に多い種類、更に少ない種類（１種類、２種類）登録されていてもよい。
【００４７】  評価パラメータＰは、情報処理端末２から受信した治療方法に関する質問の回答に基づいて算出されている。このため、評価パラメータＰは、情報処理端末２のユーザの治療方法に関する評価を反映したものであり、他の情報処理端末２のユーザにとっては、治療方法に関する第三者の評価となる。なお、上述したように、質問は、本実施形態では、治療方法の是非を問い、質問に対する肯定（本実施形態では、「Ｙｅｓ」又は否定（本実施形態では「Ｎｏ」）で回答できるものである。評価パラメータＰは、単純平均データＤ３と同様に、この評価パラメータＰを算出するための全回答における、質問に対する肯定（Ｙｅｓ）の回答の比率を示すものである。なお、評価パラメータＰは、質問に対する否定（ＮＯ）の回答の比率を示すものであってもよい。しかしながら、単純平均データＤ３の示す値とは異なり、本実施形態では、評価パラメータＰは、母集団の区間推定に関する統計原理を用いて算出される。
【００４８】  以下に評価パラメータＰの算出方法について、より具体的に説明する。  治療方法テーブルＴ１に記憶される単純平均データＤ３は、各評価パラメータＰ(改善率パラメータＰ１、即効性パラメータＰ２、満足度パラメータＰ３)夫々について記憶されている。単純平均データＤ３は、上述したように、対応する治療方法データＤ１についての、対応する評価パラメータＰを算出するための回答において、全回答（標本）の単純平均を示し、この全回答におけるＹｅｓの回答数をこの全回答の数で除算して算出された値（標本の平均）を示す。そして、単純平均データＤ３の示す値（標本の平均）を用いて、母集団の区間推定に関する統計原理によって、所定のパーセンテージ（例えば９５％又は９９％）の信頼区間を算出する。この信頼区間が、評価パラメータＰとなる。信頼区間は、回答数（標本数）が多い程狭くなるため、この区間の狭さによってどの程度の正確さで母数（例えば、回答数が所定数ある場合のＹＥＳの回答のパーセンテージ）を推定しているかを示す。このため、情報処理端末２のユーザは、評価パラメータＰの区間の狭さを見ることで、評価パラメータＰがどの程度の正確さで母数を推定しているかを感覚的に把握することができる。
【００４９】  なお、上述したように、ハードディスク１２には、各評価パラメータＰに対応するように単純平均データＤ３が記憶され、質問に対する回答があったときにこの単純平均データＤ３の値が新たに算出されて更新される。更に、本実施形態では、この更新後の単純平均データＤ３に基づいて、このデータＤ３に対応する評価パラメータＰが新たに算出されて治療方法テーブルＴ１の評価パラメータＰが更新されることになる。しかしながら、治療方法テーブルＴ１には評価パラメータＰが登録されず、サーバ１が治療方法情報送信要求を受信して、治療方法画像Ｇ４を生成する都度、単純平均データＤ３に基づいて評価パラメータＰを算出するように構成してもよい。
【００５０】（サーバに記憶されるデータ：ユーザ管理テーブル）  図７は、サーバで記憶されるユーザ管理テーブルＴ２の一例を示す図である。ユーザ管理テーブルＴ２は、会員登録された情報処理端末２のユーザを管理するためのテーブルである。ユーザ管理テーブルＴ２には、会員登録されたユーザのユーザＩＤとパスワードとが登録されている。このユーザＩＤとパスワードとは、会員認証（認証処理）で用いられる。
【００５１】（サーバに記憶されるデータ：質問情報テーブル）  図８は、サーバ１で記憶される質問情報テーブルＴ３の一例を示す図である。質問情報テーブルＴ３は、治療方法テーブルＴ１における治療方法データＤ１夫々の複数の評価パラメータＰ（改善率パラメータＰ１、即効性パラメータＰ２、満足度パラメータＰ３）について、それぞれ異なった質問情報Ｄ２を対応付けるためのテーブルである。質問情報テーブルＴ３には、質問ＩＤ、治療方法ＩＤ、質問情報Ｄ２、評価パラメータＰの種類、現在の回答数、上限回答数、選択フラグ、及び優先順位が互いに対応付けて、複数登録されている。
【００５２】  質問ＩＤとは、質問情報Ｄ２の識別情報である。治療方法ＩＤは、治療方法テーブルＴ１において登録されているものと同じであり、治療方法テーブルＴ１の治療方法データＤ１と各質問情報Ｄ２とを紐付けるために登録されている。質問情報Ｄ２は、治療方法の評価を問う質問を示す情報である。質問情報Ｄ２は、テキストデータとして登録されている。例えば、質問情報Ｄ２＿１は、「この治療方法に満足しましたか？」を示す質問情報Ｄ２である。質問情報Ｄ２＿２は、「この治療方法に即効性はありましたか？」を示す質問情報Ｄ２である。質問情報Ｄ２＿３は、「この治療方法に効果はありましたか？」を示す質問情報Ｄ２である。評価パラメータＰの種類は、質問情報Ｄ２に対応する評価パラメータＰの種類である。例えば、質問情報Ｄ２＿１に対応する評価パラメータＰの種類として、「満足度」が登録されている。質問情報Ｄ２＿２に対応する評価パラメータＰの種類として、「即効性」が登録されている。質問情報Ｄ２＿３に対応する評価パラメータＰの種類として、「改善率」が登録されている。なお、質問情報Ｄ２の質問への回答があったときに、質問情報テーブルＴ３において、質問情報Ｄ２に対応する治療方法ＩＤと評価パラメータＰの種類とが参照されて、治療方法テーブルＴ１において、参照された治療方法ＩＤに対応する参照された種類の評価パラメータＰが回答に基づいて更新される。例えば、治療方法ＩＤ＿１の質問情報Ｄ２＿３への回答があった場合には、質問情報テーブルＴ３において「治療方法ＩＤ＿１」と「改善率」とが参照されて、治療方法テーブルＴ１において、治療方法ＩＤ＿１の改善率パラメータＰ１が回答に基づいて更新される。
【００５３】  また、現在の回答数は、質問情報Ｄ２に対する現在までの回答数を示す。上限回答数は、本発明の「所定の閾値」の一例であり、質問情報Ｄ２に対する回答数の上限数を示す。本実施形態では、質問情報Ｄ２に対する回答は、上限回答数に到達するまでしか受け付けられない。選択フラグは、「オン」、「オフ」を示すフラグであり、治療方法画像Ｇ４に表示される質問情報Ｄ２には「オン」のフラグが登録され、治療方法画像Ｇ４に表示されない質問情報Ｄ２には「オフ」のフラグが登録される。なお、本実施形態では、治療方法画像Ｇ４には単一の質問しか表示されないため、「オン」の選択フラグが登録されている質問情報Ｄ２は一つであるが、２つ以上の質問が表示され、２つ以上の質問情報Ｄ２について「オン」の選択フラグが登録されてもよい。
【００５４】  優先順位は、各質問情報Ｄ２に対して夫々優先順位が登録（設定）されており、質問情報Ｄ２が治療方法画像Ｇ４に表示される順番を示す。本実施形態では、サーバ１は、質問情報テーブルＴ３の優先順位に従った一つの質問情報Ｄ２の示す質問を示す治療方法画像を、情報処理端末２に送信する。そして、サーバ１は、一つの質問情報Ｄ２の示す質問について、受信された回答の数（現在の回答数）が質問情報テーブルＴ３の上限回答数（所定の閾値）を達した後には、優先順位に従って、一つの質問情報Ｄ２とは別の質問情報Ｄ２を選択する。そして、この選択後には、サーバ１は、選択された別の質問情報Ｄ２の示す治療方法画像Ｇ４を、情報処理端末２に送信する。本実施形態では、この様にして、評価パラメータＰ（例えば、満足度パラメータＰ３）の信頼性を確保するに足る回答数が集まった場合に、別の評価パラメータＰ（例えば、即効性パラメータＰ２）を更新するための質問が治療方法画像Ｇ４に表示されて、この質問に対する回答に基づいて別の評価パラメータＰが更新される。これによって、治療方法画像Ｇ４において、他のユーザの治療方法に対する評価を反映した複数種類の評価パラメータを表示することができる。
【００５５】（治療方法情報提供処理）  以下に図２から図５、図９から図１２を用いて、サーバ１及び情報処理端末２が実行する治療方法情報提供処理の一例を説明する。なお、サーバ１で実行される治療方法情報提供処理は、サーバ側治療方法情報提供処理であり、情報処理端末２が実行する治療方法情報提供処理は、端末側治療方法情報提供処理である。サーバ側治療方法情報提供処理は、サーバ側治療方法情報提供プログラムの実行によって、所定期間毎に繰り返し、ＣＰＵ１７によって行われる。端末側治療方法情報提供処理は、検索画像Ｇ１の送信要求をサーバ１に送信するよう、ユーザから指示を受けたときに、端末側治療方法情報提供プログラムの実行によって、ＣＰＵ２７によって行われる。
【００５６】  図９、図１０、図１１は、情報処理端末２で実行される端末側治療方法情報提供処理の一例と、サーバ１で実行されるサーバ側治療方法情報提供の一例とを示すフローチャートである。図１２は、サーバ側治療方法情報提供処理における治療方法一覧画像生成処理の一例を示す図である。
【００５７】  図９を参照して、情報処理端末２のＣＰＵ２７が、サーバ１に対して検索画像Ｇ１（図２）の送信要求を送信して（Ｓ１１）、この後に、後述のステップＳ１２に処理を進める。サーバ１のＣＰＵ１７は、検索画像Ｇ１の送信要求を受信したかどうかを判断する（Ｓ１０１）。検索画像Ｇ１の送信要求を受信していないと判断した場合には（Ｓ１０１でＮＯ）、サーバ１のＣＰＵ１７は後述のステップＳ１０３を実行する。一方、検索画像Ｇ１の送信要求を受信したと判断した場合には（Ｓ１０１でＹＥＳ）、サーバ１のＣＰＵ１７は、検索画像Ｇ１の送信要求を行った情報処理端末２に対して検索画像Ｇ１を送信する（Ｓ１０２）。この後、サーバ１のＣＰＵ１７は、後述のステップＳ１０３に処理を進める。
【００５８】  情報処理端末２のＣＰＵ２７が、サーバ１から検索画像Ｇ１を受信する（Ｓ１２）。そして、情報処理端末２のＣＰＵ２７が、受信した検索画像Ｇ１を表示部２６に表示する（Ｓ１３）。情報処理端末２のＣＰＵ２７は、ユーザ登録画像Ｇ２（図３）の表示指示をユーザから受け付けたかどうかを判断する（Ｓ１４）。ユーザ登録画像Ｇ２の表示指示をユーザから受け付けていないと判断した場合には（Ｓ１４でＮＯ）、情報処理端末２のＣＰＵ２７は、後述のステップＳ２０を実行する。一方、ユーザ登録画像Ｇ２の表示指示をユーザから受け付けたと判断した場合には（Ｓ１４でＹＥＳ）、情報処理端末２のＣＰＵ２７は、ユーザ登録画像Ｇ２の送信要求をサーバ１に対して送信する（Ｓ１５）。この後、情報処理端末２のＣＰＵ２７は、後述のステップＳ１６に処理を進める。
【００５９】  サーバ１のＣＰＵ１７は、ユーザ登録画像Ｇ２の送信要求を受信したかどうかを判断する（Ｓ１０３）。ユーザ登録画像Ｇ２の送信要求を受信していないと判断した場合には（Ｓ１０３でＮＯ）、サーバ１のＣＰＵ１７は、後述のステップＳ１０５を実行する。一方、ユーザ登録画像Ｇ２の送信要求を受信したと判断した場合には（Ｓ１０３でＹＥＳ）、サーバ１のＣＰＵ１７は、ユーザ登録画像Ｇ２の送信要求を送信した情報処理端末２に対してユーザ登録画像Ｇ２を送信する（Ｓ１０４）。この後、サーバ１のＣＰＵ１７は、後述のステップＳ１０５に処理を進める。
【００６０】  情報処理端末２のＣＰＵ２７が、サーバ１からユーザ登録画像Ｇ２を受信する（Ｓ１６）。そして、情報処理端末２のＣＰＵ２７が、受信したユーザ登録画像Ｇ２を表示部２６に表示する（Ｓ１７）。この後、情報処理端末２のＣＰＵ２７が、ユーザ登録画像Ｇ２にガイドされて、ユーザからのユーザ登録指示を受け付けたかどうかを判断する（Ｓ１８）。図３を参照して、ユーザ登録画像Ｇ２において、ユーザＩＤ入力部Ｇ２１にユーザＩＤが入力され、パスワード入力部Ｇ２２にパスワードが入力された状態で、エンターキーＧ２３がユーザによってカーソルＫで選択されたときに、ユーザ登録指示を受け付けたと判断される。一方、戻るキーＧ２４がユーザによってカーソルＫで選択されたときに、ユーザからのユーザ登録指示を受け付けていないと判断される。
【００６１】  ユーザからのユーザ登録指示を受け付けていないと判断した場合には（Ｓ１８でＮＯ）、情報処理端末２のＣＰＵ２７が、ステップＳ１３に処理を戻して、検索画像Ｇ１を表示する。一方、ユーザからのユーザ登録指示を受け付けたと判断した場合には（Ｓ１８でＹＥＳ）、情報処理端末２のＣＰＵ２７が、ユーザ登録要求をサーバ１に対して送信する（Ｓ１９）。ここで、ユーザ登録要求とともに、ユーザ登録画像Ｇ２にガイドされて入力されたユーザＩＤとパスワードもサーバ１に対して送信される。その後、情報処理端末２のＣＰＵ２７が、後述のステップＳ２０に処理を進める。
【００６２】  サーバ１のＣＰＵ１７は、ユーザ登録要求を受信したかどうかを判断する（Ｓ１０５）。ユーザ登録要求を受信していないと判断した場合には（Ｓ１０５でＮＯ）、サーバ１のＣＰＵ１７は、後述のステップＳ１０７を実行する。ユーザ登録要求を受信したと判断した場合には（Ｓ１０５でＹＥＳ）、サーバ１のＣＰＵ１７は、ユーザ登録処理を実行し（Ｓ１０６）、その後に、ステップＳ１０７に処理を進める。ユーザ登録処理では、ユーザ登録要求とともに受信されたユーザＩＤとパスワードとをユーザ管理テーブルＴ２に登録する。なお、ユーザ管理テーブルＴ２に、既に同じユーザＩＤが登録されていないかと確認し、既に同じユーザＩＤが登録されていない場合にのみ、受信されたユーザＩＤとパスワードとを登録してもよい。この場合には、既に同じユーザＩＤが登録されていた場合には、サーバ１が情報処理端末２に対してその旨を通知してもよい。この通知を受信した情報処理端末２では、再度ステップＳ１８を実行する。
【００６３】  図１０を参照して、情報処理端末２のＣＰＵ２７は、ユーザの検索実行指示を受け付けたかどうかを判断する（Ｓ２０）。図２を参照して、ユーザの検索実行指示は、検索画像Ｇ１において、キーワード入力部Ｇ１１にキーワードが入力された状態で、エンターキーＧ１４がカーソルＫで選択された場合、又は、項目選択部Ｇ１２に列挙された検索項目のうちの何れかがカーソルＫで選択された場合に、受け付けたと判断される。ユーザの検索実行指示を受け付けていないと判断した場合には（Ｓ２０でＮＯ）、情報処理端末２のＣＰＵ２７は、後述のステップＳ３６を実行する。一方、ユーザの検索実行指示を受け付けたと判断した場合には（Ｓ２０でＹＥＳ）、情報処理端末２のＣＰＵ２７は、検索要求と検索条件を示す検索情報とをサーバ１に対して送信する（Ｓ２１）。なお、検索条件は、キーワード入力部Ｇ１１に入力されたキーワード又は項目選択部Ｇ１２で選択された検索項目である。この後、情報処理端末２のＣＰＵ２７は、ステップＳ２２に処理を進める。
【００６４】  サーバ１のＣＰＵ２７は、検索要求と検索情報とを受信したかどうかを判断する（Ｓ１０７）。検索要求と検索情報とを受信していないと判断した場合には（Ｓ１０７でＮＯ）、サーバ１のＣＰＵ１７は処理をステップＳ１０１に戻す。一方、検索要求と検索情報とを受信したと判断した場合には（Ｓ１０７でＹＥＳ）、サーバ１のＣＰＵ１７は検索要求と検索情報とを送信した情報処理端末２に対して認証画像を送信する（Ｓ１０８）。この後、サーバ１のＣＰＵ１７は、後述のステップＳ１０９に処理を進める。
【００６５】  情報処理端末２のＣＰＵ２７は、サーバ１から認証画像を受信して、この認証画像を表示部２６に表示する（Ｓ２２）。なお、認証画像は、図３で示すユーザ登録画像と同様の画像である。そして、情報処理端末２のＣＰＵ２７は、ユーザ認証情報（ユーザＩＤ及びパスワード）の入力をユーザから受け付ける（Ｓ２３）。その後、情報処理端末２のＣＰＵ２７は、入力されたユーザ認証情報をサーバ１に対して送信する（Ｓ２４）。この後、情報処理端末２のＣＰＵ２７は、ステップＳ２５に処理を進める。
【００６６】  サーバ１のＣＰＵ１７は、ユーザ認証情報を受信する（Ｓ１０９）。その後、サーバ１のＣＰＵ１７は、認証処理を実行する（Ｓ１１０）。認証処理では、受信されたユーザ情報がユーザ管理テーブルＴ２に登録されたユーザ情報と一致しているかどうかが判断される。サーバ１のＣＰＵ１７は、認証処理に基づいて認証成功かどうかを判断する（Ｓ１１１）。具体的には、そして、受信されたユーザ情報がユーザ管理テーブルＴ２に登録されたユーザ情報と一致している場合には認証成功と判断される。一方、受信されたユーザ情報がユーザ管理テーブルＴ２に登録されたユーザ情報と一致していない場合には認証失敗と判断される。認証処理に基づいて認証成功でないと判断した場合には（Ｓ１１１でＮＯ）、サーバ１のＣＰＵ１７は、認証失敗を情報処理端末２に対して通知して（Ｓ１１２）、処理をステップＳ１０１に戻す。一方、認証処理に基づいて認証成功であると判断した場合には（Ｓ１１１でＹＥＳ）、サーバ１のＣＰＵ１７は、処理をステップＳ１１３に進める。
【００６７】  情報処理端末２のＣＰＵ２７は、サーバ１から認証失敗の通知を受信したかどうかを判断する（Ｓ２５）。サーバ１から認証失敗の通知を受信したと判断した場合には（Ｓ２５でＹＥＳ）、情報処理端末２のＣＰＵ２７は、認証失敗を表示部２６に表示して（Ｓ２６）、その後に後述のステップＳ３６を実行する。一方、サーバ１から認証失敗の通知を受信していないと判断した場合には（Ｓ２５でＮＯ）、情報処理端末２のＣＰＵ２７は、処理を後述のステップＳ２７に進める。
【００６８】  次に、サーバ１において、認証処理に基づいて認証成功であると判断した場合（Ｓ１１１でＮＯ）に実行される、ステップＳ１１３について説明する。サーバ１のＣＰＵ１７は、治療方法一覧画像生成処理を実行する（Ｓ１１３）。この治療方法一覧画像生成処理によって、図４で示すような治療方法一覧画像Ｇ３が生成される。治療方法一覧画像生成処理についての詳細は、図１２を用いて後述する。サーバ１のＣＰＵ１７は、治療方法一覧画像Ｇ３をサーバ１に対して送信する（Ｓ１１４）。なお、サーバ１は、治療方法一覧画像Ｇ３とともに、この治療方法一覧画像Ｇ３に配置された識別情報Ｇ３１に紐付けられた、治療方法ＩＤも送信する。その後、サーバ１のＣＰＵ１７は、処理を後述のステップＳ１１５に進める。
【００６９】  情報処理端末２のＣＰＵ２７は、サーバ１から治療方法一覧画像Ｇ３を受信する（Ｓ２７）。なお、情報処理端末２のＣＰＵ２７は、治療方法一覧画像Ｇ３とともに、治療方法一覧画像Ｇ３に配置された識別情報Ｇ３１に紐付けられた、治療方法ＩＤも受信する。図１１を参照して、情報処理端末２のＣＰＵ２７は、この受信された治療方法一覧画像Ｇ３を表示する（Ｓ２８）。情報処理端末２のＣＰＵ２７は、治療方法一覧画像Ｇ３に配置された識別情報Ｇ３１（図４）から何れか一つの識別情報Ｇ３１の選択をユーザから受け付けたかどうかを判断する（Ｓ２９）。何れか一つの識別情報Ｇ３１の選択をユーザから受け付けていないと判断した場合には（Ｓ２９でＮＯ）、情報処理端末２のＣＰＵ２７は、後述のステップＳ３６に処理を進める。一方、何れか一つの識別情報Ｇ３１の選択をユーザから受け付けた判断した場合には（Ｓ２９でＹＥＳ）、情報処理端末２のＣＰＵ２７は、選択された識別情報Ｇ３１に紐付けられた治療方法ＩＤと、治療方法情報送信要求とを、サーバ１に対して送信する（Ｓ３０）。なお、この治療方法ＩＤは、本発明の「一つの識別情報の選択を示す情報」の一例である。この後、情報処理端末２のＣＰＵ２７は、ステップＳ３１に処理を進める。
【００７０】  サーバ１のＣＰＵ１７は、治療方法情報送信要求と治療方法ＩＤとを受信したかどうかを判断する（Ｓ１１５）。治療方法情報送信要求と治療方法ＩＤとを受信していないと判断した場合には（Ｓ１１５でＮＯ）、サーバ１のＣＰＵ１７は、処理をステップＳ１０１に戻す。一方、治療方法情報送信要求と治療方法ＩＤとを受信したと判断した場合には（Ｓ１１５でＹＥＳ）、サーバ１のＣＰＵ１７は、受信された治療方法ＩＤに対応する治療方法データＤ１、及びこの治療方法データＤ１に対応する評価パラメータＰをテーブルＴ１から読み込むとともに、受信された治療方法ＩＤに対応する質問情報Ｄ２を質問情報テーブルＴ３から読み込む（Ｓ１１６）。ここで、質問情報テーブルＴ３において、治療方法ＩＤに対応する質問情報Ｄ２のうち、選択フラグがオンになっている質問情報Ｄ２が選択されて読み込まれる。そして、サーバ１のＣＰＵ１７は、読み込まれた治療方法データＤ１の治療方法、評価パラメータＰ、及び質問情報Ｄ２の示す質問を示す治療方法画像Ｇ４（図５）を生成する（Ｓ１１７）。その後、サーバ１のＣＰＵ１７は、治療方法情報送信要求を送信した情報処理端末２に対して、治療方法画像Ｇ４と、この治療方法画像Ｇ４に含まれる質問に対応する質問情報Ｄ２の質問ＩＤとを送信する（Ｓ１１８）。この後、サーバ１のＣＰＵ１７は、ステップＳ１１９に処理を進める。
【００７１】  情報処理端末２のＣＰＵ２７は、サーバ１から治療方法画像Ｇ４を受信する（Ｓ３１）。本ステップにおいて、情報処理端末２のＣＰＵ２７は、治療方法画像Ｇ４とともに、治療方法画像Ｇ４における質問の質問情報Ｄ２の質問ＩＤを受信する。情報処理端末２のＣＰＵ２７は、受信された治療方法画像Ｇ４を表示部２６に表示する（Ｓ３２）。この後、情報処理端末２のＣＰＵ２７は、質問に対する回答の入力をユーザから受け付けたかどうかを判断する（Ｓ３３）。質問に対する回答の入力をユーザから受け付けていないと判断した場合には（Ｓ３３でＮＯ）、情報処理端末２のＣＰＵ２７は、後述のステップＳ３６に処理を進める。一方、質問に対する回答の入力をユーザから受け付けた判断した場合には（Ｓ３３でＹＥＳ）、情報処理端末２のＣＰＵ２７は、入力された回答（ＹＥＳ又はＮＯ）とステップＳ３１で受信された質問ＩＤとを示す回答情報をサーバ１に対して送信する（Ｓ３４）。その後、情報処理端末２のＣＰＵ２７は、後述のステップＳ３５に処理を進める。
【００７２】  サーバ１のＣＰＵ１７は、回答情報を受信したかどうかを判断する（Ｓ１１９）。回答情報を受信していないと判断した場合には（Ｓ１１９でＮＯ）、サーバ１のＣＰＵ１７は、処理をステップＳ１に戻す。一方、回答情報を受信したと判断した場合には（Ｓ１１９でＹＥＳ）、サーバ１のＣＰＵ１７は、回答情報に基づいて質問情報テーブルＴ３（図８）と治療方法テーブルＴ１（図６）を更新する（Ｓ１２０）。具体的には、質問情報テーブルＴ３において、回答情報に含まれる治療方法ＩＤ及び質問ＩＤに対応する「現在の回答数」が、１加算される。そして、現在の回答数がその対応する上限回答数に達した場合には、質問ＩＤに対応する選択フラグがオフされ、次に優先順位が高い質問情報Ｄ２に対応付けられた選択フラグがオンされる。そして、質問情報テーブルＴ３において、回答情報に含まれる質問ＩＤに対応する治療方法ＩＤと評価パラメータＰの種類とが取得される。治療方法テーブルＴ１において、この取得された治療方法ＩＤとこの取得された評価パラメータＰの種類に対応する単純平均データＤ３が取得される。この単純平均データＤ３と回答情報とに基づいて、新たな単純平均データＤ３が算出されて、この取得された治療方法ＩＤとこの取得された評価パラメータＰの種類に対応する単純平均データＤ３が更新される。そして、この新たに算出された単純平均データＤ３を用いて、新たな評価パラメータＰが算出されて、この算出された新たな評価パラメータＰで、治療方法テーブルＴ１において上記取得された治療方法ＩＤと上記取得された評価パラメータＰの種類に対応する評価パラメータＰが更新される。
【００７３】  この後、サーバ１のＣＰＵ１７は、上記ステップＳ１２０で更新された評価パラメータＰを示すように、更新された治療方法画像Ｇ４を生成して、この治療方法画像Ｇ４を、回答情報を送信した情報処理端末２に対して送信する（Ｓ１２１）。この後、サーバ１のＣＰＵ１７は、処理をステップＳ１に戻す。
【００７４】  情報処理端末２のＣＰＵ２７は、更新された治療方法画像Ｇ４を受信したかどうかを判断する（Ｓ３５）。更新された治療方法画像Ｇ４を受信していないと判断した場合には（Ｓ３５でＮＯ）、情報処理端末２のＣＰＵ２７は、ユーザからの本端末側治療方法情報提供処理を終了する指示を受け付けたかどうかを判断する（Ｓ３６）。ユーザからの本端末側治療方法情報提供処理を終了する指示を受け付けたと判断した場合には（Ｓ３６でＹＥＳ）、ＣＰＵ２７は、本処理を終了させる。一方、ユーザからの本端末側治療方法情報提供処理を終了する指示を受け付けていないと判断した場合には（Ｓ３６でＮＯ）、ＣＰＵ２７は、処理をステップＳ１３に戻して、再度検索画像Ｇ１を表示する。なお、ステップＳ３６でＮＯと判断される場合とは、図５で示す治療方法画像Ｇ４において検索画像に戻るキーＧ４４がカーソルＫを用いてユーザによって選択された場合である。
【００７５】  また、更新された治療方法画像Ｇ４を受信したと判断した場合には（Ｓ３５でＹＥＳ）、情報処理端末２のＣＰＵ２７は、処理をステップＳ３２に戻して、更新された治療方法画像Ｇ４を表示する。なお、本実施形態では、情報処理端末２のユーザが何ら更新操作を行うことなく自動的に治療方法画像Ｇ４の表示が更新されるが、この構成に限定されず、ユーザが更新操作を行った場合にのみ、治療方法画像Ｇ４の表示が更新されてもよい。
【００７６】  次に、図１２を参照して、図１０のステップＳ１１３の治療方法一覧画像生成処理について説明する。  まず、サーバ１のＣＰＵ１７が、図１０のステップＳ１０７において受信した検索情報の示す検索条件で治療方法テーブルＴ１を検索して、この検索条件に合致する全ての治療方法データＤ１と、この治療方法データＤ１の治療方法ＩＤと、評価パラメータＰ（改善率パラメータＰ１、即効性パラメータＰ２、満足度パラメータＰ３）とを治療方法テーブルＴ１から抽出する（Ｓ１１３１）。ここで、治療方法データＤ１の抽出は、検索用タグＴＡ１を参照することで行われる。
【００７７】  次に、サーバ１のＣＰＵ１７が、ステップＳ１１３１で抽出された評価パラメータＰに基づいて、治療方法データＤ１の順番を決定する（Ｓ１１３２）。ここで、治療方法データＤ１の順番の決定方法を説明する。上述したように、評価パラメータＰは、対応する単純平均データＤ３を用いて母集団の区間推定に関する統計原理を用いて算出された、推定区間を示すものである。複数の評価パラメータＰのうち何れか一つ（例えば、改善率パラメータＰ１）の中心値が算出され、これらの中心値が大きい順番、又は小さい順番になるように、治療方法の順番が決定される。なお、複数の評価パラメータＰそれぞれの中心値を算出して、これらの中心値の平均値に基づいて、治療方法の順番が決定されてもよい。
【００７８】  続いて、サーバ１のＣＰＵ１７が、ステップＳ１１３２で決定した順番に基づいて、図４で示すような治療方法一覧画像Ｇ３を生成する（Ｓ１１３３）。この治療方法一覧画像では、治療方法データＤ１のタイトルデータの示す識別情報Ｇ３１と、この治療方法データＤ１に対応する評価パラメータＰ（改善率パラメータＰ１、即効性パラメータＰ２、満足度パラメータＰ３）と、この治療方法データＤ１におけるタイトルデータ以外の部分の示す情報Ｇ３２と、治療方法の治療方法データＤ１に設定された検索用タグＴＡ１の内容を示すタグ画像ＴＢ１とを示す治療方法表示欄Ｇ３００が、ステップＳ１１３２で決定された順番に従って配置されている。具体的には、ステップＳ１１３２で決定された順番が早い治療方法データＤ１に対応する識別情報Ｇ３１が上に配置されるように、治療方法表示欄Ｇ３００が並べて配置される。
【００７９】  なお、本実施形態では、質問情報Ｄ２に基づく質問が治療方法画像Ｇ４に表示されていない評価パラメータＰについて、治療方法テーブルＴ１の評価パラメータＰは、初期値となる。本実施形態では、この様な評価パラメータＰについて、この初期値が治療方法画像Ｇ４に示されるが、この様な評価パラメータについては、治療方法一覧画像Ｇ３で示されなくてもよい。図１１のステップＳ１１７で生成される治療方法画像Ｇ４についても同様である。
【００８０】  この後、サーバ１のＣＰＵ１７が、本治療方法一覧画像生成処理を終了させて、処理を図１０のステップＳ１１４に進める。なお、ステップＳ１１４では、上述したように、生成された治療方法一覧画像が送信されるが、この際に、ステップＳ１１３１で読み出された治療方法ＩＤも送信される。
【００８１】（変形例）  以下に本実施形態の変形例について説明する。（１）本実施形態では、治療方法、質問及び評価パラメータＰを示す治療方法情報が治療方法画像であり、治療方法、質問及び評価パラメータＰが一つの治療方法画像Ｇ４で示されるが、この構成に限定されない。例えば、治療方法情報は、音声情報であってもよい。また、治療方法情報は、複数の画像で表示されるものであってもよい。例えば、治療方法と評価パラメータとが一つの画像で表示され、この画像にリンクを貼って、このリンクの選択によって、質問を示す他の画像を表示してもよい。
【００８２】（２）本実施形態では、一つの治療方法データＤ１について質問情報Ｄ２が複数記憶されており、このうち一つの質問情報Ｄ２の質問のみが治療方法画像Ｇ４で示されているが、この構成に限定されず、この複数の質問情報Ｄ２の質問が全て治療方法画像Ｇ４で示されていてもよい。この場合に、上記（１）の変形例で記載したような、リンクの選択によって表示される、質問を示す他の画像に、複数の質問が列挙されて示されてもよい。また、一つの治療方法データＤ１について質問情報Ｄ２が一つだけ記憶されてもよい。
【００８３】（３）本実施形態では、サーバ１は、治療方法情報（治療方法画像Ｇ４）を送信するのは、会員登録を行ったユーザの情報処理端末２に対してのみであるが、この構成に限定されない。サーバ１は、ユーザ認証を行わず、治療方法情報を送信した全ての情報処理端末２に対して治療方法情報を送信してもよい。
【符号の説明】
【００８４】１      サーバ（本発明の「治療方法情報提供サーバ」の一例）１２    ハードディスク１４    ＲＡＭ１６    ＣＰＵ（本発明の「制御部」の一例）２      情報処理端末Ｇ３    治療方法一覧画像（本発明の「治療方法選択用画像」の一例）Ｇ４    治療方法画像
【図１】
2016059686.tif 000003
【図２】
2016059686.tif 000004
【図３】
2016059686.tif 000005
【図４】
2016059686.tif 000006
【図５】
2016059686.tif 000007
【図６】
2016059686.tif 000008
【図７】
2016059686.tif 000009
【図８】
2016059686.tif 000010
【図９】
2016059686.tif 000011
【図１０】
2016059686.tif 000012
【図１１】
2016059686.tif 000013
【図１２】
2016059686.tif 000014
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
複数の情報処理端末と通信可能な治療方法情報提供サーバであって、
治療方法を示す治療方法データと、この治療方法に対応する、前記治療方法の評価を問う質問を示す質問情報及び前記治療方法の評価を表す評価パラメータとを記憶する記憶装置と、
制御部とを備え、
前記治療方法データと前記評価パラメータとが前記記憶装置に複数記憶されており、
前記制御部は、
前記複数の情報処理端末のうちの何れかから要求を受信したときに、
（Ａ）前記治療方法データの示す治療方法と前記質問情報の示す質問と前記評価パラメータとを示す治療方法情報を、前記要求を送信した情報処理端末に送信する処理と、
（Ｂ）前記複数の情報処理端末のうち前記治療方法情報が送信された情報処理端末から、前記質問に対する回答を示す回答情報を受信する処理と、
（Ｃ）前記回答情報に基づいて新たに前記評価パラメータを算出して前記記憶装置に記憶させる処理と、
を実行し、
さらに、前記制御部は、
（Ｅ）前記複数の情報処理端末のうちの何れかから、ユーザ所望の前記治療方法データの条件である検索条件を示す検索情報を受信する処理と、
（Ｆ）前記処理（Ｅ）で検索情報を受信したときに、この検索情報の示す検索条件に合致する治療方法データを前記複数の治療方法データから抽出する処理と、
（Ｇ）前記処理（Ｆ）で抽出された治療方法データが複数ある場合には、これらの複数の抽出された治療方法データに対応する評価パラメータ夫々に基づいて、前記複数の抽出された治療方法データの順番を決定する処理と、
（Ｈ）前記抽出された治療方法データの示す治療方法の識別情報が、前記処理（Ｇ）で決定された前記治療方法データの順番に従って配置された治療方法選択用画像を、前記検索情報を送信した情報処理端末に送信する処理と、
を実行し、
前記複数の情報処理端末のうち前記治療方法選択用画像が送信された情報処理端末から、前記識別情報から一つの識別情報の選択を示す情報を、前記要求とともに受信したときに、前記処理（Ａ）において、前記選択された一つの識別情報に対応する治療方法を示す前記治療方法情報を送信する、
ことを特徴とする治療方法情報提供サーバ。
【請求項２】
前記治療方法情報は、この治療方法情報が送信された情報処理端末で表示される治療方法画像である、
ことを特徴とする請求項１に記載の治療方法情報提供サーバ。
【請求項３】
（削除）
【請求項４】
前記質問は、この質問に対する肯定又は否定で回答され、
前記評価パラメータは、前記肯定の回答又は前記否定の回答の比率を示す、
ことを特徴とする請求項１に記載の治療方法情報提供サーバ。
【請求項５】
前記評価パラメータは、母集団の区間推定に関する統計原理を用いて算出された信頼区間である、
ことを特徴とする請求項１に記載の治療方法情報提供サーバ。
【請求項６】
複数の情報処理端末と通信可能な治療方法情報提供サーバであって、
治療方法を示す治療方法データと、この治療方法に対応する、前記治療方法の評価を問う質問を示す質問情報及び前記治療方法の評価を表す評価パラメータとを記憶する記憶装置と、
制御部とを備え、
前記記憶装置には、前記治療方法データについて、複数種類の前記評価パラメータが記憶され、各前記評価パラメータには、それぞれ異なった質問情報が対応付けられており、この異なった質問情報には、夫々優先順位が設定されており、
前記制御部は、
前記複数の情報処理端末のうちの何れかから要求を受信したときに、
（Ａ）前記治療方法データの示す治療方法と前記質問情報の示す質問と前記評価パラメータとを示す治療方法情報を、前記要求を送信した情報処理端末に送信する処理と、
（Ｂ）前記複数の情報処理端末のうち前記治療方法情報が送信された情報処理端末から、前記質問に対する回答を示す回答情報を受信する処理と、
（Ｃ）前記回答情報に基づいて新たに前記評価パラメータを算出して前記記憶装置に記憶させる処理と、
を実行し、
さらに、前記制御部は、
前記処理（Ａ）において、前記優先順位に従った一つの前記質問情報の示す質問を示す前記治療方法画像を、前記要求を送信した情報処理端末に送信し、
（Ｉ）前記一つの質問情報の示す質問について、前記処理（Ｂ）の実行によって受信された回答情報の数が所定の閾値を達した後には、前記優先順位に従って、前記一つの質問情報とは別の質問情報を選択する処理、を更に実行し、
前記処理（Ｉ）の実行後に実行される前記処理（Ａ）では、前記選択された別の質問情報の示す前記治療方法情報を、前記要求を送信した情報処理端末に送信する、
ことを特徴とする治療方法情報提供サーバ。
【国際調査報告】
2016059686.tif 000015
2016059686.tif 000016
2016059686.tif 000017